(57)【要約】【課題】  従来のスピーカ装置よりも低域の音響特性を改善することが出来、然も金型作製後の設計変更が容易なスピーカ装置を提供する。【解決手段】  本発明に係るスピーカ装置は、第１の開口21と第２の開口22が開設されたキャビネット３を具え、該キャビネット３の内部には、第１の開口21からキャビネット３の外側へ音響を発すべきスピーカユニット４が配備されると共に、第２の開口22には、パッシブラジエータ６を介してバスレフダクト５が連結されている。パッシブラジエータ６は、ホーン状の振動板部61を具え、振動板部61の大径側の開口端がキャビネット３に連結されると共に、振動板部61の小径側の開口端がバスレフダクト５の一方の開口端に連結されている。【選択図】      図１
2005260625.tif 000002
【特許請求の範囲】
【請求項１】
第１の開口(21)と第２の開口(22)が開設されたキャビネット(３)を具え、該キャビネット(３)の内部には、前記第１の開口(21)からキャビネット(３)の外側へ音響を発すべきスピーカユニット(４)が配備されると共に、前記第２の開口(22)を経てキャビネット(３)の外側へ通じる通気路(53)を有するバスレフダクト(５)が、通気路(53)の方向に沿って振動可能に配備されているスピーカ装置。
【請求項２】
キャビネット(３)の前記第２の開口(22)には、パッシブラジエータ(６)を介して前記バスレフダクト(５)が連結されており、該パッシブラジエータ(６)は、ホーン状の振動板部(61)を具え、該振動板部(61)の大径側の開口端がキャビネット(３)に連結されると共に、該振動板部(61)の小径側の開口端が前記バスレフダクト(５)の一方の開口端に連結されている請求項１に記載のスピーカ装置。
【請求項３】
前記パッシブラジエータ(６)は、振動板部(61)の大径側の開口端に突設された弾性エッジ部(62)を有し、該エッジ部(62)を介してキャビネット(３)に連結されている請求項２に記載のスピーカ装置。
【発明の詳細な説明】
【技術分野】
【０００１】
本発明はキャビネット内にスピーカユニットを配備してなるスピーカ装置に関するものである。
【背景技術】
【０００２】
ＡＶ機器、パーソナルコンピュータ、薄型ＴＶ受像機等の電子機器には小型のスピーカ装置が内蔵されており、これらの電子機器の小型化に伴ってスピーカ装置に対する小型化の要求が高まっている。
ところが、スピーカ装置の小型化によりキャビネットの容積が小さくなって、特に低域の音響特性が劣化することになる。
そこで、低域の音響特性を改善するべく、キャビネットにバスレフポートを設けたスピーカ装置(バスレフ型スピーカ装置)や、パッシブラジエータを具えたスピーカ装置(パッシブラジエータ型スピーカ装置)が開発されている。
【０００３】
バスレフ型スピーカ装置は、図２に示す如く、キャビネット本体(10)にバッフル板(20)を取り付けて構成されるキャビネット(30)を具え、バッフル板(20)には開口(21)を開設し、該開口(21)へ向けてスピーカユニット(４)が取り付けられている。又、バッフル板(20)には、ポート(52)を有するバスレフダクト(50)が連結されて、該バスレフダクト(50)を貫通する通気路(53)がポート(52)を経てキャビネット(30)の外部へ通じている(例えば特許文献１参照)。
スピーカユニット(４)からは、キャビネット(30)の前方へ向かって音波が放射されると同時に、キャビネット(30)内へ音波が放射され、該音波はバスレフダクト(50)の通気路(53)を経てキャビネット(30)の外部へ導かれる。
【０００４】
バスレフ型スピーカ装置においては、図５に示す如くスピーカユニットの共振点ｆｈのみならず、バスレフダクトの共振点ｆｌでもインピーダンス(Ｉｍｐ)が増大しており、該共振点ｆｌの近傍(低域)における音圧がバスレフダクトを具えない密閉型のスピーカ装置よりも上昇することになる。
【０００５】
一方、パッシブラジエータ型スピーカ装置は、図３に示す如く、キャビネット(30)のバッフル板(20)に第２の開口(22)を開設して、該開口(22)に向けてパッシブラジエータ(60)が取り付けられている。パッシブラジエータ(60)は、ホーン状の振動板部(64)を具え、該振動板部(64)の大径側の開口端が弾性エッジ部(65)を介してバッフル板(20)に連結されると共に、該振動板部(64)の小径側の開口端はダストキャップ部(63)によって塞がれている(例えば特許文献２参照)。
パッシブラジエータ型スピーカ装置においても、図５に示す周波数特性と同様に、パッシブラジエータの共振点近傍(低域)における音圧が上昇することになる。
【特許文献１】特開２００１−３４６２８３号公報
【特許文献２】特開２００２−３６９２７８号公報
【発明の開示】
【発明が解決しようとする課題】
【０００６】
しかしながら、バスレフ型スピーカ装置やパッシブラジエータ型スピーカ装置によっても、キャビネット容積の減少に伴う低域の音響特性の劣化を解決することが出来ない問題があった。
又、バスレフ型スピーカ装置においては、バスレフダクト(50)をキャビネット(30)と一体成型する場合、金型を作製する段階でバスレフダクト(50)の形状を決定しなければならず、金型作製後の設計変更が困難であった。
【０００７】
そこで本発明の目的は、従来のバスレフ型スピーカ装置やパッシブラジエータ型スピーカ装置よりも低域音響特性が良好で、然も金型作製後の設計変更が容易なスピーカ装置を提供することである。
【課題を解決するための手段】
【０００８】
本発明に係るスピーカ装置は、第１の開口(21)と第２の開口(22)が開設されたキャビネット(３)を具え、該キャビネット(３)の内部には、前記第１の開口(21)からキャビネット(３)の外側へ音響を発すべきスピーカユニット(４)が配備されると共に、前記第２の開口(22)を経てキャビネット(３)の外側へ通じる通気路(53)を有するバスレフダクト(５)が、通気路(53)の方向に沿って振動可能に配備されている。
【０００９】
上記本発明のスピーカ装置によれば、キャビネット(３)にバスレフダクト(５)が配備されている構成によってバスレフ型スピーカ装置としての効果が得られると同時に、バスレフダクト(５)がキャビネット(３)に振動可能に配備されている構成によってパッシブラジエータ型スピーカ装置としての効果が得られるので、従来のバスレフ型スピーカ装置或いはパッシブラジエータ型スピーカ装置よりも低域の音響特性が向上する。
又、バスレフダクト(５)に錘を取り付ける等の方法で振動質量を調整することによって、周波数特性の調整が可能であるので、金型作製後の設計変更が容易である。
【００１０】
具体的構成において、キャビネット(３)の前記第２の開口(22)には、パッシブラジエータ(６)を介して前記バスレフダクト(５)が連結されており、該パッシブラジエータ(６)は、ホーン状の振動板部(61)を具え、該振動板部(61)の大径側の開口端がキャビネット(３)に連結されると共に、該振動板部(61)の小径側の開口端が前記バスレフダクト(５)の一方の開口端に連結されている。
【００１１】
該具体的構成によれば、キャビネット(３)にバスレフダクト(５)が配備されている構成によってバスレフ型スピーカ装置としての効果が得られると同時に、キャビネット(３)にパッシブラジエータ(６)が配備されている構成によってパッシブラジエータ型スピーカ装置としての効果が得られるので、従来のバスレフ型スピーカ装置或いはパッシブラジエータ型スピーカ装置よりも低域の音響特性が向上する。
又、パッシブラジエータ(６)の振動系の質量や弾性定数を調整し、或いはバスレフダクト(５)に錘を取り付ける等の方法で振動質量を調整することによって、周波数特性の調整が可能であるので、金型作製後の設計変更が容易である。
【００１２】
更に具体的な構成において、前記パッシブラジエータ(６)は、振動板部(61)の大径側の開口端に突設された弾性エッジ部(62)を有し、該エッジ部(62)を介してキャビネット(３)に連結されている。
該具体的構成においては、主にエッジ部(62)の弾性変形によって振動板部(61)が振動する。
【発明の効果】
【００１３】
本発明に係るスピーカ装置によれば、キャビネットの容積が小さい場合であっても、従来のバスレフ型スピーカ装置やパッシブラジエータ型スピーカ装置よりも低域の音響特性を改善することが出来、然も金型作製後の設計変更が容易となる。
【発明を実施するための最良の形態】
【００１４】
以下、本発明の実施形態につき、図面に沿って具体的に説明する。
本発明に係るスピーカ装置は、図１に示す如く、箱状のキャビネット本体(１)にバッフル板(２)を固定してなるキャビネット(３)を具え、バッフル板(２)には、第１の開口(21)と第２の開口(22)が開設されている。
バッフル板(２)には、第１の開口(21)に向けてスピーカユニット(４)が取り付けられている。又、バッフル板(２)には、第２の開口(22)に向けてパッシブラジエータ(６)が取り付けられている。
【００１５】
パッシブラジエータ(６)は、ホーン状の振動板部(61)と、該振動板部(61)の大径側の開口端に突設された弾性エッジ部(62)とを具え、振動板部(61)がエッジ部(62)を介してバッフル板(２)に連結されている。
又、パッシブラジエータ(６)の振動板部(61)の小径側の開口端には、バスレフダクト(５)の一方の開口端が連結され、バスレフダクト(５)に形成された通気路(53)は、パッシブラジエータ(６)側の終端がポート(51)となって、パッシブラジエータ(６)の内部空間に連通し、キャビネット(３)の外部へ通じている。
【００１６】
上記本発明のスピーカ装置において、スピーカユニット(４)からは、キャビネット(３)の前方へ向かって音波が放射されると同時に、キャビネット(３)内へ音波が放射され、該音波はパッシブラジエータ(６)の振動板部(61)に作用して、振動板部(61)を振動させると共に、バスレフダクト(５)の通気路(53)を経てキャビネット(３)の外部へ導かれる。
従って、パッシブラジエータ(６)によって低域音響特性の改善が図られると同時に、バスレフダクト(５)によって低域音響特性の改善が図られ、この結果、従来のバスレフ型スピーカ装置或いはパッシブラジエータ型スピーカ装置よりも良好な低域音響特性が得られることになる。
【００１７】
即ち、図４に示す様に、スピーカユニットの共振点ｆｈのみならず、バスレフダクト及びパッシブラジエータによって構成される振動系の共振点ｆｌでもインピーダンス(Ｉｍｐ)が増大しており、該共振点ｆｌの近傍(低域)における音圧は、図５に示すバスレフ型スピーカ装置の共振点ｆｌ近傍(低域)における音圧よりも上昇することになる。
【００１８】
又、図１に示す本発明に係るスピーカ装置によれば、パッシブラジエータ(６)の振動板部(61)の質量や弾性定数を調整し、或いはバスレフダクト(５)に錘を取り付ける等の方法で振動質量を調整することによって、周波数特性の調整が可能である。
例えば図６(ａ)(ｂ)(ｃ)に示す様に、バスレフダクト及びパッシブラジエータによって構成される振動系の質量を小、中、大の３段階に変化させることによって、該振動系の共振周波数を高(ｆｌ)、中(ｆｌ′)、低(ｆｌ″)の３段階に変えて、周波数特性を調整することが出来る。
従って、金型作製後であっても、容易に設計変更を行なうことが出来る。
【００１９】
上述の如く本発明に係るスピーカ装置によれば、キャビネット(３)の容積が小さい場合であっても、従来のバスレフ型スピーカ装置やパッシブラジエータ型スピーカ装置よりも低域音響特性が向上し、然も金型作製後の設計変更が容易となる。
【００２０】
尚、本発明の各部構成は上記実施の形態に限らず、特許請求の範囲に記載の技術的範囲内で種々の変形が可能である。例えば、パッシブラジエータ(６)は図１に示す如くエッジ部(62)によって振動板部(61)を弾性支持する構成に限らず、公知の種々の弾性支持構造を採用することが出来る。
又、図１に示すパッシブラジエータ(６)を省略して、バッフル板(２)の開口縁にバスレフダクト(５)の一方の開口端を直接に弾性支持した構成においても、該バスレフダクト(５)がパッシブラジエータとしての機能を発揮するので、図１のスピーカ装置と同等の効果を得ることが出来る。
【図面の簡単な説明】
【００２１】
【図１】本発明に係るスピーカ装置の断面図である。
【図２】従来のバスレフ型スピーカ装置の断面図である。
【図３】従来のパッシブラジエータ型スピーカ装置の断面図である。
【図４】本発明に係るスピーカ装置の周波数特性を示すグラフである。
【図５】従来のバスレフ型スピーカ装置の周波数特性を示すグラフである。
【図６】本発明に係るスピーカ装置において振動質量を変化させた場合の周波数特性の変化を示すグラフである。
【符号の説明】
【００２２】
(１)  キャビネット本体
(２)  バッフル板
(21)  第１の開口
(22)  第２の開口
(３)  キャビネット
(４)  スピーカユニット
(５)  バスレフダクト
(51)  ポート
(53)  通気路
(６)  パッシブラジエータ
(61)  振動板部
(62)  エッジ部
【図１】
2005260625.tif 000003
【図２】
2005260625.tif 000004
【図３】
2005260625.tif 000005
【図４】
2005260625.tif 000006
【図５】
2005260625.tif 000007
【図６】
2005260625.tif 000008